(57)【要約】【課題】複雑な絵柄を容易に形成することができる刺繍体の形成方法を提供する。【解決手段】本発明に係る刺繍体の形成方法は、単位刺繍体ａを形成する第１工程と、前記第１工程を繰り返すことにより、単位刺繍体を放射状に複数形成する第２工程と、を有することを特徴とする刺繍体の形成方法。【選択図】図２
2015024609.tif 000002
【特許請求の範囲】
【請求項１】
単位刺繍体を形成する第１工程と、
前記第１工程を繰り返すことにより、前記単位刺繍体を放射状に複数形成する第２工程と、を有することを特徴とする刺繍体の形成方法。
【請求項２】
前記第２工程において、前記単位刺繍体の配置が渦巻状であることを特徴とする請求項１に記載の刺繍体の形成方法。
【請求項３】
前記第２工程において、前記単位刺繍体の配置が環状であることを特徴とする請求項１に記載の刺繍体の形成方法。
【請求項４】
各単位刺繍体は互いに隣接していることを特徴とする請求項１から３のいずれかに記載の刺繍体の形成方法。
【発明の詳細な説明】
【技術分野】
【０００１】
本発明は、刺繍体の形成方法に関し、特に手刺繍による刺繍体の形成方法に関する。
【背景技術】
【０００２】
手刺繍では、クロス・ステッチ、サテン・ステッチ、チェーン・ステッチ、ボタンホール・ステッチ、ランニング・ステッチなどの技法を用いて、花柄、建物、動植物などの様々な絵柄を基布に形成することができる。
【発明の概要】
【発明が解決しようとする課題】
【０００３】
現状では、薔薇などの複雑な絵柄は、様々なステッチを組み合わせて形成しているため、初心者にとって容易ではない。
【０００４】
本発明は、上記問題を解決するためになされたものであって、複雑な絵柄を容易に形成することができる刺繍体の形成方法の提供を目的とする。
【課題を解決するための手段】
【０００５】
本発明に係る刺繍体の形成方法は、上記課題を解決するためになされたものであり、単位刺繍体を形成する第１工程と、前記第１工程を繰り返すことにより、前記単位刺繍体を放射状に複数形成する第２工程と、を有することを特徴とする。
【０００６】
上記の方法では、同じ単位刺繍体を方向を変えながら形成すればよいので、１種類のステッチを習得するだけで刺繍体を形成することができる。また、刺繍体では、各単位刺繍体が放射状に配置されているため、各単位刺繍体が様々な方向に向いている。そのため、刺繍体は全体として複雑な絵柄に見える。したがって、複雑な絵柄を容易に形成することができる。
【０００７】
また、前記第２工程において、前記単位刺繍体の配置が渦巻状または環状であってもよい。また、各単位刺繍体は互いに隣接してもよい。
【発明の効果】
【０００８】
本発明に係る刺繍体の形成方法によれば、複雑な絵柄を容易に形成することができる。
【図面の簡単な説明】
【０００９】
【図１】本発明の一実施形態に係る刺繍体の形成方法の第１工程を説明するための図である。
【図２】本発明の一実施形態に係る刺繍体の形成方法の第２工程を説明するための図である。
【図３】本発明の一実施形態に係る刺繍体の形成方法の第２工程を説明するための図である。
【図４】本発明の一実施形態に係る刺繍体の形成方法の第２工程を説明するための図である。
【図５】本発明の一実施形態に係る刺繍体の形成方法の第２工程を説明するための図である。
【図６】本発明の一実施形態に係る刺繍体の形成方法の第２工程を説明するための図である。
【図７】本発明の一実施形態に係る刺繍体の形成方法によって形成された刺繍体を示す図である。
【図８】本発明の他の実施形態に係る刺繍体の形成方法の第１工程を説明するための図である。
【図９】本発明の他の実施形態に係る刺繍体の形成方法の第２工程を説明するための図である。
【図１０】本発明の他の実施形態に係る刺繍体の形成方法の第２工程を説明するための図である。
【図１１】本発明の他の実施形態に係る刺繍体の形成方法によって形成された刺繍体を示す図である。
【図１２】本発明の他の実施形態に係る刺繍体の形成方法によって形成された刺繍体を示す図である。
【発明を実施するための形態】
【００１０】
以下、本発明の実施形態について添付図面を参照して説明する。なお、本発明は実施形態に限定されるものではなく、請求項に示した範囲で種々の変更が可能であり、実施形態に開示された技術的手段を適宜組み合わせて得られる形態も本発明の技術的範囲に含まれる。
【００１１】
本発明の一実施形態について、図１〜図７を参照して説明する。本実施形態では、薔薇の刺繍体を形成する。各図において、番号は、基布に針を刺す位置及び順番を示している。
【００１２】
まず、図１（ａ）〜（ｃ）に示す第１工程により、単位刺繍体ａを形成する。具体的には、図１（ａ）に示すように針を刺しておき、図１（ｂ）に示すように、針先に糸を左から右へかけて針を引き抜くことにより、図１（ｃ）に示す単位刺繍体ａが形成される。本明細書において、「単位刺繍体」とは、１種類のステッチによって形成される刺繍体を意味する。
【００１３】
続いて、第２工程では、前記第１工程を繰り返すことにより、単位刺繍体ａと同様の単位刺繍体を放射状に複数形成する。より正確には、本実施形態では、単位刺繍体の配置が渦巻状になるように形成する。
【００１４】
具体的には、図２（ａ）〜（ｃ）に示す手順で、単位刺繍体ｂを単位刺繍体ａの左側に隣接するように形成する。さらに、図３（ａ）〜（ｃ）に示す手順で、単位刺繍体ｃを単位刺繍体ａ及びｂの下側に隣接するように形成する。さらに、図４（ａ）〜（ｃ）に示す手順で、単位刺繍体ｄを単位刺繍体ａの右側に隣接するように形成する。さらに、図５（ａ）〜（ｃ）に示す手順で、単位刺繍体ｅを単位刺繍体ａ及びｂの上側に隣接するように形成する。さらに、図６（ａ）〜（ｃ）に示す手順で、単位刺繍体ｆを単位刺繍体ｂの左側に隣接するように形成する。最後に、図６（ｄ）に示すように、単位刺繍体ｃの内側に針を入れる。このように、単位刺繍体ｂ〜ｆを放射状に形成することにより、図７に示す薔薇の刺繍体Ａが形成される。
【００１５】
上記の方法では、同じ単位刺繍体を方向を変えながら形成すればよいので、１種類のステッチを習得するだけで刺繍体Ａを形成することができる。また、刺繍体Ａでは、各単位刺繍体ａ〜ｆが放射状に配置されているため、各単位刺繍体ａ〜ｆが様々な方向に向いている。そのため、刺繍体Ａは全体として複雑な絵柄に見える。したがって、複雑な絵柄を容易に形成することができる。
【００１６】
本発明の他の実施形態について、図８〜図１２を参照して説明する。本実施形態では、立体的な花柄を形成する。各図において、番号は、基布に針を刺す位置及び順番を示している。
【００１７】
まず、図８（ａ）〜（ｅ）に示す第１工程により、立体的な単位刺繍体ｇを形成する。具体的には、図８（ａ）に示すように針を刺しておき、図８（ｂ）〜（ｄ）に示すように、針先に糸を巻きつけて針を引き抜くことにより、図８（ｅ）に示す単位刺繍体ｇが形成される。
【００１８】
続いて、第２工程では、前記第１工程を繰り返すことにより、単位刺繍体ｇと同様の単位刺繍体を放射状に複数形成する。より正確には、本実施形態では、単位刺繍体の配置が環状になるように形成する。
【００１９】
具体的には、図９（ａ）〜（ｅ）に示す手順で、単位刺繍体ｈを単位刺繍体ｇの左側に形成する。さらに、図１０（ａ）に示すように、単位刺繍体ｉを単位刺繍体ｇ及びｈの下側に形成し、図１０（ｂ）に示すように、単位刺繍体ｊを単位刺繍体ｇと単位刺繍体ｈとの間に形成し、図１０（ｃ）に示すように、単位刺繍体ｋを単位刺繍体ｈと単位刺繍体ｉとの間に形成し、図１０（ｄ）に示すように、単位刺繍体ｌを単位刺繍体ｇと単位刺繍体ｉとの間に形成する。このように、単位刺繍体ｈ〜ｌを放射状に形成することにより、図１１に示す立体的な花柄の刺繍体Ｂが形成される。最後に、図１２に示すように、刺繍体Ｂの中心にフレンチナットを施してもよい。なお、刺繍体Ｂでは、花弁を構成する単位刺繍体ｇ〜ｌの配置が環状である。
【００２０】
本実施形態においても、同じ単位刺繍体ｇ〜ｌを方向を変えながら形成するだけであるので、１種類のステッチを習得するだけで、立体的で複雑な花柄を容易に形成することができる。
【００２１】
なお、各実施形態において、各単位刺繍体は、隣接してもよいし、多少離間してもよい。また、各単位刺繍体の形状は特に限定されず、刺繍体によって描かれる絵柄に応じて、適宜変更可能である。また、刺繍体によって描かれる絵柄は、花柄に限られず、例えば、太陽、月、瞳といった円形状の絵柄であってもよい。
【符号の説明】
【００２２】
ａ〜ｌ    単位刺繍体
Ａ、Ｂ    刺繍体
【図１】
2015024609.tif 000003
【図２】
2015024609.tif 000004
【図３】
2015024609.tif 000005
【図４】
2015024609.tif 000006
【図５】
2015024609.tif 000007
【図６】
2015024609.tif 000008
【図７】
2015024609.tif 000009
【図８】
2015024609.tif 000010
【図９】
2015024609.tif 000011
【図１０】
2015024609.tif 000012
【図１１】
2015024609.tif 000013
【図１２】
2015024609.tif 000014
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
単位刺繍体を形成する第１工程と、
前記第１工程を繰り返すことにより、一本の連続した糸で前記単位刺繍体を渦巻状に複数形成する第２工程と、を有することを特徴とする刺繍体の形成方法。
【請求項２】
各単位刺繍体は互いに隣接していることを特徴とする請求項１に記載の刺繍体の形成方法。